(57)【要約】【課題】ネットワークの帯域の逼迫を低減すること。【解決手段】実施形態に係る通信システム１は、撮影装置１０と、照明装置２０とを有する。照明装置２０は、所定範囲を照明するとともに撮影装置１０から受信した画像データを光無線通信により出力する。撮影装置１０と、当該撮影装置１０からの画像データを出力する照明装置２０とが予め対応付けられている。【選択図】図１
2020145001.tif 000002
【特許請求の範囲】
【請求項１】
撮影装置と；
所定範囲を照明するとともに前記撮影装置から受信した画像データを光無線通信により出力する照明装置と；
を有する通信システムであって、
前記撮影装置と、当該撮影装置からの画像データを出力する照明装置とが予め対応付けられている、通信システム。
【請求項２】
前記撮影装置と前記照明装置との対応状態を提示するユーザインタフェース部を有する端末装置；
を具備する請求項１に記載の通信システム。
【請求項３】
前記ユーザインタフェース部は、
前記撮影装置と前記照明装置との対応付けを指示する情報の入力を受け付ける、
請求項２に記載の通信システム。
【請求項４】
前記ユーザインタフェース部は、
前記撮影装置と前記照明装置との対応状態を提示する場合、または、前記撮影装置と前記照明装置との対応付けを指示する情報の入力を受け付ける場合、前記撮影装置と前記照明装置との位置を示す模式図を画面に表示する、
請求項２または３に記載の通信システム。
【請求項５】
前記撮影装置及び前記照明装置は、
所定規格の電力を供給可能な通信ケーブルで接続される、
請求項１〜４のいずれか一つに記載の通信システム。
【発明の詳細な説明】
【技術分野】
【０００１】
本発明の実施形態は、通信システムに関する。
【背景技術】
【０００２】
従来、カメラや照明装置を、電力を供給可能な通信ケーブル（いわゆるＰｏＥケーブル；Power  over  Ethernet；登録商標）を介して接続することによって、通信環境及び電源の双方を確保できるシステムが提案されている。
【０００３】
しかしながら、このようなネットワーク上で、上位装置（サーバ）等との間で撮像画像のデータを送受信すると、ネットワークの帯域が逼迫する。
【先行技術文献】
【特許文献】
【０００４】
【特許文献１】特許第４９４４４９０号公報
【発明の概要】
【発明が解決しようとする課題】
【０００５】
本発明が解決しようとする課題は、ネットワークの帯域の逼迫を低減することである。
【課題を解決するための手段】
【０００６】
実施形態の一例に係る通信システムは、撮影装置と、照明装置とを有する。照明装置は、所定範囲を照明するとともに撮影装置から受信した画像データを光無線通信により出力する。撮影装置と、当該撮影装置からの画像データを出力する照明装置とが予め対応付けられている。
【発明の効果】
【０００７】
実施形態の一例に係る通信システムによれば、ネットワークの帯域の逼迫を低減する。
【図面の簡単な説明】
【０００８】
【図１】図１は、実施形態に係る通信システムの構成例を示す図である。
【図２】図２は、図１に示す撮影装置のブロック図である。
【図３】図３は、図２に示す対応付けデータのデータ構成の一例を示す図である。
【図４】図４は、図１に示す照明装置のブロック図である。
【図５】図５は、図１に示す端末装置のブロック図である。
【図６】図６は、図５に示す端末装置における表示画面の一例を示す図である。
【図７】図７は、図５に示す端末装置における表示画面の一例を示す図である。
【図８】図８は、図１に示すサーバのブロック図である。
【図９】図９は、実施形態に係る通信処理の処理手順の一例を示すシーケンス図である。
【図１０】図１０は、図１に示す端末装置が実行する対応付け処理の処理手順を示すフローチャートである。
【図１１】図１１は、図２に示す対応付けデータのデータ構成の他の例を示す図である。
【図１２】図１２は、実施形態における照明装置の他の構成を示すブロック図である。
【図１３】図１３は、実施形態に係る通信システムの他の構成例を示すブロック図である。
【発明を実施するための形態】
【０００９】
以下で説明する実施形態に係る通信システム１は、撮影装置１０と、照明装置２０とを有する。照明装置２０は、所定範囲を照明するとともに撮影装置１０から受信した画像データを光無線通信により出力する。撮影装置１０と、当該撮影装置１０からの画像データを出力する照明装置２０とが予め対応付けられている。
【００１０】
また、以下で説明する実施形態における通信システム１は、端末装置３０を有する。端末装置３０は、ユーザインタフェース（ＵＩ）部３４を有する。ＵＩ部３４は、撮影装置１０と照明装置２０との対応状態を提示する。
【００１１】
また、以下で説明する実施形態に係るＵＩ部３４は、撮影装置１０と照明装置２０との対応付けを指示する情報の入力を受け付ける。
【００１２】
また、以下で説明する実施形態に係るＵＩ部３４は、撮影装置１０と照明装置２０との対応状態を提示する場合、または、撮影装置１０と照明装置２０との対応付けを指示する情報の入力を受け付ける場合、撮影装置１０と照明装置２０との位置を示す模式図を画面に表示する。
【００１３】
以下、図面を参照して、実施形態に係る通信システムを説明する。実施形態において同一の部位には同一の符号を付し、重複する説明は省略される。
【００１４】
［実施形態］
まず、図１を用いて、本実施形態に係る通信システムについて説明する。図１は、実施形態に係る通信システムの構成例を示す図である。図１に示すように、通信システムは、撮影装置１０、照明装置２０、端末装置３０及びサーバ４０を有する。撮影装置１０及び照明装置２０は、それぞれ一以上設けられる。撮影装置１０及び照明装置２０は、それぞれ、通信ケーブル６０でハブ５０と接続する。ハブ５０は、ネットワークＮを介して、撮影装置１０及び照明装置２０と、サーバ４０との間の通信を中継する。
【００１５】
通信ケーブル６０は、所定規格の電力を供給可能である。通信ケーブル６０は、ＬＡＮ（Local  Area  Network）ケーブルとしての機能に加え、撮影装置１０、照明装置２０に対して電力を供給する電源ケーブルとしても機能する。
【００１６】
ハブ５０は、撮影装置１０及び照明装置２０と、ネットワークＮとの間の通信を中継する。また、ハブ５０は、図示しない外部電源から供給される電力を所定規格の電力に変換し、通信ケーブル６０を介して、各撮影装置１０及び各照明装置２０へ供給する。
【００１７】
撮影装置１０は、所定のフレームレートで周囲を撮影した画像データを生成する。撮影装置１０は、通信ケーブル６０及びハブ５０を介して、生成した画像データを照明装置２０に送信する。撮影装置１０と、当該撮影装置１０からの画像データを出力する照明装置２０とは、予め対応付けられており、撮影装置１０は、予め対応付けられた照明装置２０に画像データを送信する。例えば、撮影装置１０は、予め対応付けられた照明装置２０のＩＰアドレスを保持し、このＩＰアドレスを宛先として画像データを送信する。
【００１８】
照明装置２０は、複数のＬＥＤ素子で構成されるＬＥＤ光源を有し、ＬＥＤ光源を点灯することで所定範囲を照明する。照明装置２０は、予め対応付けられた撮影装置１０から画像データを受信する。例えば、照明装置２０は、自装置宛の画像データを受信する。または、照明装置２０は、予め対応付けられた撮影装置１０のＩＰアドレスを保持し、このＩＰアドレスを送信元として送信された画像データを受信する。照明装置２０は、受信した画像データを光無線通信により端末装置３０に出力する。
【００１９】
端末装置３０は、照明装置２０から光無線通信により出力された画像データを受信する。端末装置３０は、受信した画像データを、サーバ４０に送信する。端末装置３０は、無線通信、有線通信を含む通信ネットワークを介して、サーバ４０と通信を行う。例えば、屋内の天井に、撮影装置１０、照明装置２０が設置されており、その下方に端末装置３０が位置する。
【００２０】
サーバ４０は、通信システム１の管理を行う。例えば、サーバ４０は、撮影装置１０が撮影した画像データを管理する。また、サーバ４０は、画像データに基づき照明装置２０の点灯を制御してもよい。
【００２１】
［撮影装置の構成］
次に、撮影装置１０の構成について説明する。図２は、図１に示す撮影装置１０のブロック図である。なお、図２には、撮影装置１０に加え、ハブ５０と、ハブ５０と通信ケーブル６０とを繋ぐＰｏＥコネクタ５１とを併せて示す。
【００２２】
撮影装置１０は、コネクタ１１、記憶部１２、制御部１３及びカメラ１４を有する。コネクタ１１は、通信ケーブル６０が接続されるとともに、信号配線１１１及び電源配線１１２が接続される。信号配線１１１は、ネットワーク配線であり、制御部１３に接続する。電源配線１１２は、電力を供給する電源配線であり、制御部１３に接続する。撮影装置１０は、コネクタ１１が接続する通信ケーブル６０を介して供給される電力によって動作する。撮影装置１０は、通信ケーブル６０を介して通知される制御信号に応じて撮影を行い、照明装置２０へ通信ケーブル６０を介して画像データを送信する。
【００２３】
記憶部１２は、不揮発性メモリ等の記憶媒体であり、対応付けデータ７０、及び、カメラ１４が撮影した画像データ８０を記憶する。対応付けデータ７０は、撮影装置１０と、当該撮影装置からの画像データを出力する照明装置との対応関係を示すデータである。図３は、図２に示す対応付けデータ７０のデータ構成の一例を示す図である。図３に示すように、対応付けデータ７０は、対応関係にある照明装置２０のＩＰアドレスと、撮影装置１０のＩＰアドレスとを対応付けた構成を有する。例えば、通番「1」には、ＩＰアドレスが「123.234.45.50」である照明装置２０と、ＩＰアドレスが「123.234.45.51」である撮影装置１０とが対応付くことが示される。なお、撮影装置１０は、図３では自装置に対応する照明装置以外の他の照明装置及び他の撮影装置との対応関係を記憶しているが、このようにネットワークに含まれる他の構成間の対応関係を記憶してもよいし、自装置の対応関係のみを記憶するようにしてもよい。また、一の撮影装置１０に対して複数の照明装置２０を対応付けてもよいし、一の照明装置２０に対して複数の撮影装置１０を対応付けてもよい。
【００２４】
制御部１３は、撮影装置１０における撮影処理及び通信処理を制御する。制御部１３は、サーバ４０から送信された対応付けデータ７０を受信し、記憶部１２に格納する。制御部１３は、カメラ１４によって撮影された画像データ８０を取得する。制御部１３は、対応付けデータ７０を参照し、自装置に対応付けられた照明装置２０のＩＰアドレスを取得する。制御部１３は、信号配線１１１、通信ケーブル６０及びハブ５０を介して、自装置に対応付けられた照明装置２０に画像データ８０を送信する。
【００２５】
カメラ１４は、レンズや撮像素子を備え、所定のフレームレートで周囲を撮影した画像データ８０を生成し、制御部３３へ出力する。画像データ８０は、記憶部１２に記憶されてもよい。
【００２６】
［照明装置の構成］
次に、図４は、図１に示す照明装置２０のブロック図である。なお、図４には、照明装置２０に加え、ハブ５０及びＰｏＥコネクタ５１を併せて示す。
【００２７】
照明装置２０は、コネクタ２１、記憶部２２、制御部２３及び照明部２４を有する。コネクタ２１は、通信ケーブル６０が接続されるとともに、信号配線２１１及び電源配線２１２が接続される。信号配線２１１は、ネットワーク配線であり、制御部２３に接続する。電源配線２１２は、電力を供給する電源配線であり、制御部２３に接続する。照明装置２０は、コネクタ２１が接続する通信ケーブル６０を介して供給される電力によって動作する。照明装置２０は、通信ケーブル６０を介して通知される制御信号に応じて、照明部２４の照明態様を制御する。
【００２８】
記憶部２２は、不揮発性メモリ等の記憶媒体であり、対応付けデータ７０、及び、撮影装置１０から受信した画像データ８０を記憶する。
【００２９】
制御部２３は、照明装置２０における照明処理及び通信処理を制御する。制御部２３は、サーバ４０から送信された対応付けデータ７０を受信し、記憶部２２に格納する。制御部２３は、対応付けデータ７０を参照し、自装置に対応付けられた撮影装置１０のＩＰアドレスを取得する。制御部２３は、自装置に対応付けられた撮影装置１０から送信された画像データ８０を受信する。制御部２３は、受信した画像データを光無線通信により、照明部２４から出力させる。例えば、照明装置２０は、光無線通信として、光無線通信（Light  Fidelity）を適用して画像データ８０を出力する。
【００３０】
照明部２４は、複数のＬＥＤ素子で構成されるＬＥＤ光源であり、制御部２３から入力される指示信号にしたがって点灯する。照明部２４は、ＬＥＤ素子からの光を媒体として、画像データ８０を、例えば、照明装置２０の下方に位置する端末装置３０に出力する。
【００３１】
［端末装置の構成］
次に、端末装置３０の構成について説明する。図５は、図１に示す端末装置３０のブロック図である。端末装置３０は、記憶部３１、光センサ３２、制御部３３、ＵＩ部３４及び通信部３５を有する。
【００３２】
記憶部３１は、例えば、ＨＤＤ（Hard  Disk  Drive）、ＳＳＤ（Solid  State  Drive）、光ディスク等の記憶装置である。また、記憶部３１は、ＲＡＭ（Random  Access  Memory）、不揮発性メモリ等のデータを書き換え可能な半導体メモリであってもよい。記憶部３１は、端末装置３０で実行されるＯＳ（Operating  System）や各種プログラムを記憶する。記憶部２２は、対応付けデータ７０、及び、照明装置２０から受信した画像データ８０を記憶する。
【００３３】
光センサ３２は、フォトダイオード等によって構成される光受信器である。光センサ３２は、受信した光を電気信号に変換し、変換した信号を制御部３３に出力する。
【００３４】
制御部３３は、端末装置３０の各部を制御する。例えば、制御部３３は、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路である。また、制御部３３は、各種の処理手順を規定したプログラムや制御データを格納する内部メモリを有する。制御部３３は、画像処理部３３１及び表示制御部３３２を有する。
【００３５】
画像処理部３３１は、光センサ３２から出力された信号を画像データ８０に変換する画像処理を行う。画像処理部３３１は、画像データを記憶部３１に格納する。或いは、画像処理部３３１は、通信部３５を介して、サーバ４０に画像データ８０を送信する。
【００３６】
表示制御部３３２は、ＵＩ部３４を構成するディスプレイの表示を制御する。例えば、表示制御部３３２は、ＵＩ部３４のディスプレイ上に、撮影装置１０と照明装置２０との対応状態を示す画面、撮影装置１０と照明装置２０との対応付けの指示を入力可能である画面を表示させる。
【００３７】
ＵＩ部３４は、各種情報をユーザに提供し、ユーザからの指示情報の入力を受信する。ＵＩ部３４は、例えば、液晶ディスプレイ、タッチパネル、マウス、キーボード、スピーカ、マイクロフォン等を含んでもよい。
【００３８】
ＵＩ部３４は、撮影装置１０と照明装置２０との対応状態を提示する。図６及び図７は、図５に示す端末装置３０における表示画面の一例を示す図である。ＵＩ部３４は、図６に示す対応メニューＭ１をディスプレイに表示する。対応メニューＭ１は、撮影装置１０（カメラ）と照明装置２０との位置を示す模式図を含む。具体的には、対応メニューＭ１は、撮影装置１０と照明装置２０とが設置された領域の平面図を含む。この平面図では、撮影装置１０が円形の図形で示され、照明装置２０が矩形の図形で示される。
【００３９】
対応メニューＭ１は、予め対応付けられた撮影装置１０と照明装置２０とを、同じ色で表示する。図６の例では、カメラＣ１と、該カメラＣ１に対応付けられた照明装置Ｌ１とが同じ色（例えば赤）で表示される。また、カメラＣ２と、該カメラＣ２に対応付けられた照明装置Ｌ２とが、同じ色（例えば、青）で表示される。カメラＣ１及び照明装置Ｌ１の色と、カメラＣ２及び照明装置Ｌ２の色とは、異なる色に設定される。
【００４０】
そして、ユーザは、撮影装置１０と照明装置２０との対応付けを変更する場合には、対応メニューＭ１の変更ボタンＵ１を選択する。この場合、ＵＩ部３４は、図７に示す設定メニューＭ２をディスプレイに表示する。ＵＩ部３４は、設定メニューＭ２に対するユーザによるマウス操作にしたがって、撮影装置１０と照明装置２０との対応付けの指示情報の入力を受け付け可能である。
【００４１】
例えば、ユーザが、カーソルＵ２を、カメラＣ１の図形上に移動させてクリックした後、照明装置Ｌ２の図形上にカーソルＵ２を移動させてクリックし、決定ボタンＵ３を選択する。これによって、ＵＩ部３４は、カメラＣ１と照明装置Ｌ２との対応付けを指示する指示情報の入力を受け付ける。また、端末装置３０では、初期設定時に設定メニューＭ２を表示させて、撮影装置１０と照明装置２０との対応付けの指示情報の入力を受け付けることも可能である。
【００４２】
通信部３５は、他の装置（例えば、サーバ４０）との間で、各種情報を送受信する通信インタフェースである。通信部３５は、端末装置３０は、無線通信、有線通信を含む通信ネットワークを介して、サーバ４０と通信を行う。例えば、通信部３５は、ＵＩ部３４が入力を受け付けた撮影装置１０と照明装置２０との対応付けを指示する指示情報を、サーバ４０に送信する。
【００４３】
［サーバの構成］
次に、サーバ４０の構成について説明する。図８は、図１に示すサーバ４０のブロック図である。サーバ４０は、通信部４１、記憶部４２、制御部４３及びＵＩ部４４を有する。
【００４４】
通信部４１は、他の装置（例えば、撮影装置１０、照明装置２０及び端末装置３０）との間で、各種情報を送受信する通信インタフェースである。通信部４１は、ネットワークＮ、ハブ５０及び通信ケーブル６０を介して、撮影装置１０、照明装置２０と通信を行う。通信部４１は、無線通信、有線通信を含む通信ネットワークを介して、端末装置３０と通信を行う。
【００４５】
記憶部４２は、例えば、ＨＤＤ、ＳＳＤ、光ディスク等の記憶装置である。また、記憶部４２は、ＲＡＭ、不揮発性メモリ等のデータを書き換え可能な半導体メモリであってもよい。記憶部４２は、サーバ４０で実行されるＯＳや各種プログラムを記憶する。記憶部４２は、対応付けデータ７０及び画像データ８０を記憶する。
【００４６】
制御部４３は、サーバ４０の各部を制御する。例えば、制御部４３は、ＣＰＵ、ＭＰＵ等の電子回路や、ＡＳＩＣ、ＦＰＧＡ等の集積回路であり、各種の処理手順を規定したプログラムや制御データを格納する内部メモリを有する。制御部４３は、端末装置３０から送信された画像データ８０を管理する。例えば、制御部４３は、画像データ８０を記憶部４２に格納する。また、制御部４３は、管理者の確認作業時には、ＵＩ部４４のディスプレイに画像データ８０を表示させる。制御部４３は、対応付け制御部４３１を有する。
【００４７】
対応付け制御部４３１は、撮影装置１０と照明装置２０との対応付けを制御する。対応付け制御部４３１は、端末装置３０から送信された、撮影装置１０と照明装置２０との対応付けを指示する指示情報を基に、撮影装置１０と照明装置２０との対応付けを示す対応付けデータ７０を作成または更新する。対応付け制御部４３１は、撮影装置１０及び照明装置２０との少なくとも一方に対応付けデータ７０を送信し、撮影装置１０による照明装置２０への画像データの送信を制御する。対応付け制御部４３１は、端末装置３０に対応付けデータ７０を送信する。
【００４８】
ＵＩ部４４は、各種情報をユーザに提供し、ユーザからの指示情報の入力を受信する。ＵＩ部４４は、例えば、液晶画面、タッチパネル、マウス、キーボード、スピーカ、マイクロフォン等を含んでもよいし、通信部４１を介してサーバとネットワーク接続された任意の機器に表示させるものでもよい。
【００４９】
なお、サーバ４０が、撮影装置１０と照明装置２０との対応付けの指示情報の入力を受け付ける機能を有してもよい。すなわち、サーバ４０が、対応メニューＭ１、設定メニューＭ２をディスプレイに表示して、撮影装置１０と照明装置２０との対応状態を提示し、撮影装置１０と照明装置２０との対応付けの指示情報の入力を受け付けてもよい。また、サーバ４０に光センサ３２を備えて、サーバ４０が、照明装置２０から光無線通信により出力された画像データを受信してもよい。
【００５０】
［通信処理の流れ］
次に、通信システム１における処理の流れについて説明する。図９は、実施形態に係る通信処理の処理手順の一例を示すシーケンス図である。図９に示すように、撮影装置１０及び照明装置２０は、サーバ４０から対応付けデータ７０を取得する（ステップＳ１，Ｓ２）。照明装置２０は、制御信号に基づいて照明を行う（ステップＳ３）。
【００５１】
撮影装置１０は、撮影処理を行い（ステップＳ４）、撮影した画像データ８０を、通信ケーブル６０及びハブ５０を介して、撮影装置１０に対応付けられた照明装置２０に送信する（ステップＳ５）。画像データ８０を受信した照明装置２０は、画像データ８０を光無線通信用データに変換し（ステップＳ６）、光無線通信により、画像データ８０を端末装置３０に出力する（ステップＳ７）。
【００５２】
端末装置３０は、光無線通信により出力された画像データ８０を受信し、画像処理を施す（ステップＳ８）。端末装置３０は、画像処理後の画像データ８０をサーバ４０に送信する（ステップＳ９）。サーバ４０は、端末装置３０から送信された画像データを記憶部４２に格納して管理を行う（ステップＳ１０）。なお、撮影装置１０が直接サーバ４０へ画像データ８０を送信し、サーバ４０が撮影装置１０の画像データを管理するようにしてもよい。
【００５３】
［対応付け処理の流れ］
次に、撮影装置１０と照明装置との対応付け処理について説明する。図１０は、図１に示す端末装置３０が実行する対応付け処理の処理手順を示すフローチャートである。
【００５４】
図１０に示すように、端末装置３０は、ＵＩ部３４のディスプレイ上に、撮影装置１０と照明装置２０との対応状態を示す画面（例えば、対応メニューＭ１）を表示する（ステップＳ２１）。端末装置３０は、ユーザによって、撮影装置１０と照明装置２０との対応付けの変更を指示された場合（ステップＳ２２：Ｙｅｓ）、設定画面（例えば、設定メニューＭ２）を表示する（ステップＳ２３）。
【００５５】
そして、端末装置３０は、撮影装置１０と照明装置２０との対応付けの指示情報の入力を受け付けると（ステップＳ２４）、受け付けた撮影装置１０と照明装置２０との対応付けを指示する指示情報を、サーバ４０に送信する（ステップＳ２５）。端末装置３０は、撮影装置１０と照明装置２０との対応付けの変更を指示されない場合（ステップＳ２２：Ｎｏ）、または、ステップＳ２５の処理終了後、対応付け処理を終了する。
【００５６】
このように、通信システム１では、撮影装置１０は、自装置に予め対応付けられた照明装置２０に画像データ８０を出力し、照明装置２０は、撮影装置１０から受信した画像データ８０を光無線通信により出力する。このように、通信システム１によれば、大容量の画像データ８０を、通信ケーブル６０を介して出力するのではなく、光無線通信により出力する。
【００５７】
このため、通信システム１によれば、撮影装置１０が接続するネットワークの帯域の逼迫を低減することができる。そして、照明装置２０と端末装置３０との間の通信は、一定の領域内での閉じた通信であるため、通信システム１では、高いセキュリティを保持することができる。また、通信システム１は、光無線通信を用いて画像データ８０を出力するため、高速かつ高効率な通信が可能である。また、通信システム１では、撮影装置１０と、画像データ８０の出力先である照明装置２０とが予め対応付けられているため、撮影装置１０は、画像データ８０の照明装置２０への出力を適切に実行できる。
【００５８】
また、通信システム１では、撮影装置１０と照明装置２０との対応状態をユーザに提示するため、ユーザは、撮影装置１０と照明装置２０との対応状態を正確に認識できる。さらに、通信システム１では、撮影装置１０と照明装置２０との対応付けを指示する指示情報の入力も受け付け可能である。このため、ユーザは、撮影装置１０と照明装置２０との対応状態を、柔軟に、設定或いは変更することも可能である。この際、通信システム１では、撮影装置１０と照明装置２０との位置を示す模式図を画面上に表示するため、ユーザは、撮影装置１０と照明装置２０との位置関係を容易に認識することができる。このように、撮影装置１０と照明装置２０との対応関係を設定可能としたことで任意の箇所に設置された撮影装置１０の画像データを所望の照明装置２０から光無線通信で出力することができる。
【００５９】
なお、実施形態に係る通信システムでは、撮影装置１０と照明装置２０とが、１対１で対応付けられた場合を例に説明したが、これに限らない。図１１は、図２に示す対応付けデータ７０のデータ構成の他の例を示す図である。図１１に示すように、１つの照明装置２０に対し、複数の撮影装置１０が対応付けられていてもよい。
【００６０】
また、本実施形態では、ユーザが、撮影装置１０と照明装置２０との対応付けを指示する場合を例に説明したが、これに限らず、サーバ４０が、所定ルールに従って、自動的に撮影装置１０と照明装置２０との対応付けを行ってもよい。
【００６１】
また、本実施形態では、撮影装置１０及び照明装置２０は、それぞれ独立した装置として説明したが、一体であってもよい。図１２は、実施形態における照明装置の他の構成を示すブロック図である。
【００６２】
図１２に示す照明装置２０Ａは、カメラユニット２１０と、照明ユニット２２０とを有する。カメラユニット２１０は、信号配線１１１及び電源配線１１２によってコネクタ２２１と接続する。照明装置２０は、信号配線２１１及び電源配線２１２によってコネクタ２２１と接続する。
【００６３】
この照明装置２０Ａについては、カメラユニット２１０に、照明ユニット２２０のＩＰアドレスとは別のＩＰアドレスを付与し、対応付けの際にもカメラユニット２１０と照明ユニット２２０とを独立して扱う。このため、照明ユニット２２０は、自装置内のカメラユニット２１０と対応付けられてもよく、また、他の撮影装置１０或いは他の照明装置２０Ａ内のカメラユニット２１０と対応付けられてもよい。
【００６４】
また、撮影装置及び照明装置が一体である場合、撮影装置及び照明装置は、電源を共有していてもよい。そして、この場合、電源から信号配線及び電源配線が、撮影装置及び照明装置に対し分岐する構成であってもよい。
【００６５】
また、通信システム１では、端末装置３０が光無線通信で受信した画像データをサーバ４０に送信し、サーバ４０がデータ管理を行う他、サーバ４０において、受信した画像データを用いて設定作業を行うことも可能である。例えば、カメラを人感センサとして用いる場合は、サーバ４０において、画素に対して感知領域と非感知領域とを設定し、或いは、領域をいくつかに分割し、それぞれ異なる照明に割り当てる設定を行う。この作業は、画像を見ながら行うことになる。このため、操作者は、光無線通信で画像を受信し、受信した情報に基づいて、サーバ４０にて設定作業を行う。
【００６６】
そして、本実施形態の他の例について説明する。図１３は、実施形態に係る通信システムの構成例の他の例を示す図である。図１３に示すように、通信システム１では、ハブ５０に端末装置ＴＤまたはＰＣが接続される。
【００６７】
そして、通信システム１では、撮影装置１０から照明装置２０以外の端末装置ＴＤまたはＰＣにも、ＰｏＥを介して、画像データを送信してもよい。すなわち、通信システム１は、光無線通信経由ではなく、撮影装置１０から照明装置２０、端末装置ＴＤ、ＰＣ等他の装置に対して、画像データ８０を、ＰｏＥを介して送信することも可能である。もちろん、通信システム１は、ＰｏＥに限定せず、接続された端末間で画像データ８０を送信することもできる。
【００６８】
なお、本実施形態において、端末装置ＴＤは、端末装置３０であってもよい。また、本実施形態において、端末装置３０は、複数であってもよい。また、本実施形態において、画像データ８０は、静止画でも動画でもよい。
【００６９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７０】
１  通信システム
１０  撮影装置
１１，２１，２２１  コネクタ
１２，２２，３１，４２  記憶部
１３，２３，３３，４３  制御部
１４  カメラ
２０  照明装置
２４  照明部
３０  端末装置
３４，４４  ＵＩ部
３５，４１  通信部
４０  サーバ
５０  ハブ
５１  ＰｏＥコネクタ
６０  通信ケーブル
７０  対応付けデータ
８０  画像データ
１１１，２１１  信号配線
１１２，２１２  電源配線
３３１  画像処理部
３３２  表示制御部
【図１】
2020145001.tif 000003
【図２】
2020145001.tif 000004
【図３】
2020145001.tif 000005
【図４】
2020145001.tif 000006
【図５】
2020145001.tif 000007
【図６】
2020145001.tif 000008
【図７】
2020145001.tif 000009
【図８】
2020145001.tif 000010
【図９】
2020145001.tif 000011
【図１０】
2020145001.tif 000012
【図１１】
2020145001.tif 000013
【図１２】
2020145001.tif 000014
【図１３】
2020145001.tif 000015